(57)【要約】【課題】オイルクレンジングを用いて顔面のメイクや毛穴の汚れを良好に取ることができる洗顔用パッドを提供する。【解決手段】パッド本体１が、弾性を有するシリコン樹脂で扁平な薄板状に成形されている。パッド本体１の全体の基本形状は、上下縦長の卵形状である。パッド本体１の下面は、上下の一端部分が小突起群領域２に、残りの大半部分がブラシ領域３にそれぞれ設定されている。小突起群領域２には、多数の小突起５が一体に突設されている。ブラシ領域３には、小突起５よりも高く突出する多数のブリッスル６が密に植設されている。パッド本体１の小突起群領域２には、多数の抜き孔７が上下方向に貫通状に形成されている。パッド本体１の上面９のほぼ中央部位には、２本の指ではさみ持つことができる指持ち突起１０が一体に突設されている。【選択図】図１
0003103309.tif 000002
【実用新案登録請求の範囲】
【請求項１】
パッド本体１が軟質合成樹脂製であること、
パッド本体１が、弾性を有する扁平な薄板状に形成されていること、
パッド本体１の平面形状が、基本的に上下縦長の円形状であること、
パッド本体１の下面は、上下の一端部分が小突起群領域２に、残りの大半部分がブラシ領域３にそれぞれ設定されていること、
小突起群領域２には、多数の小突起５が一体に突設されていること、
ブラシ領域３には、小突起５よりも高く突出する多数のブリッスル６が密に植設されていること、
パッド本体１の少なくとも小突起群領域２には、いくつかの抜き孔７が上下方向に貫通状に形成されていること、
パッド本体１の上面９のほぼ中央部位には、２本の指ではさみ持つことができる指持ち突起１０が一体に突設されていること、
指持ち突起１０の上端が、ラッパ状に開いて吸盤機能を有することを特徴とする洗顔用パッド。
【請求項２】
パッド本体１の上面９の外周縁に、一連の補強突条１１が一体に突出形成されている請求項１記載の洗顔用パッド。
【請求項３】
ブラシ領域３は、毛足が長いブリッスル６からなる第１ブラシ部３ａと、毛足が短いブリッスル６からなる第２ブラシ部３ｂとを含み、
パッド本体１の下面には、上下の一端側に小突起群領域２が、上下の他端側に第２ブラシ部３ｂがそれぞれ設けられている請求項２記載の洗顔用パッド。
【考案の詳細な説明】
【技術分野】
【０００１】
本考案は、顔面に当て擦ることによりメイクや毛穴の汚れを落とすのに用いる洗顔用パッドに関する。
【背景技術】
【０００２】
この種の洗顔用パッドにおいて、
（１）パッド本体を軟質合成樹脂製にすること、
（２）パッド本体の全体形状を円形にすること、
（３）パッド本体の下面を凹凸状の肌当たり面に形成すること、
（４）パッド本体の上面のほぼ中央部位に、指先でつかむことができる突起を一体に設けることは、特許文献１に公知である。
【０００３】
そこではパッド本体の上面側の突起を指先でつかんでパッド本体を手にし、パッド本体の下面側を顔に当ててマッサージすることにより、クレンジング剤で浮いたメイクや毛穴の汚れを落とすことができる。
【特許文献１】特開２０００−４１８８６号公報
【考案の開示】
【考案が解決しようとする課題】
【０００４】
しかし、顔面の中でも柔らかく擦り付けたい部位と、小鼻や額などゴシゴシ強く擦って皮脂質などをこそぎ取りたい部位とがあるところ、上記の従来例では、パッド本体の凹凸下面が均一形状で、これに対応するようになっていない。オイルクレンジングを使って浮き上がった皮脂質などの汚れも、顔に再びなすり付けられる感があり、ここにも問題があった。
【０００５】
そこで本考案の目的は、顔の部位によって柔らかくマッサージできたり、強く擦り付けるようにマッサージできる、メイク落としや汚れ落とし用の洗顔用パッドを得るにある。更に、本考案の目的は、顔をマッサージしながら、浮いた汚れをパッド本体の肌当て面（下面）から外側の上面に導き出して、汚れ取り機能を有効に発揮させることができる洗顔用パッドを得るにある。
【課題を解決するための手段】
【０００６】
本考案に係る洗顔用パッドは、パッド本体１が軟質合成樹脂製であって、弾性を有する扁平な薄板状に形成されている。軟質合成樹脂としては、シリコンゴムを含むシリコン樹脂が用いて好適である。パッド本体１の平面形状は、基本的に上下縦長の円形状である。つまり、パッド本体１の全体形状は卵形や楕円形などにすることができる。
【０００７】
パッド本体１の下面は肌当たり面になる。このパッド本体１の下面は、図２に示すごとく上下の一端部分が小突起群領域２に、残りの大半部分がブラシ領域３にそれぞれ設定されている。この小突起群領域２には、多数の小突起５が一体に突設されている。
【０００８】
ブラシ領域３には、小突起５よりも高く突出する多数のブリッスル６が密に植設されている。更に具体的にみると、ブラシ領域３は、毛足が長いブリッスル６からなる第１ブラシ部３ａと、毛足が短いブリッスル６からなる第２ブラシ部３ｂとを含み、パッド本体１の下面において、上下の一端側に小突起群領域２が、上下の他端側に第２ブラシ部３ｂがそれぞれ設けられている。
【０００９】
パッド本体１の少なくとも小突起群領域２には、いくつかの抜き孔７が上下方向に貫通状に形成されている。この抜き孔７は、ブラシ領域３にも設けることができる。
【００１０】
パッド本体１の上面９のほぼ中央部位には、２本の指ではさみ持つことができる指持ち突起１０が一体に突設されており、指持ち突起１０の上端が、ラッパ状に開いて吸盤機能を有する。すなわち、指持ち突起１０は、パッド本体１の上面９に一体に突設された軸部１０ａと、この軸部１０ａの上端に設けられた吸盤部１０ｂとを有する。
【００１１】
本考案の洗顔用パッドの使用に際しては、人差指と中指との間に指持ち突起１０をはさんでパッド本体１を手にし、クレンジング剤を用いてパッド本体１の下面側を顔に当てて滑らすことにより、クレンジング剤で浮いたメイクや毛穴の汚れを落とすことになる。そのとき、ブラシ領域３のブリッスル６群は、顔の凹凸に沿って柔らかくフィットする。小突起群領域２では、小突起５を小鼻や額などに強く押し付けてマッサージ効果を得るのに有利となる。使用後は、水洗いしたのち、指持ち突起１０の上端の吸盤部１０ｂを介して鏡の面などに吸着しておくことができる。
【考案の効果】
【００１２】
請求項１記載の本考案に係る洗顔用パッドによれば、顔面からの皮脂質などの汚れは、顔になすり付けられることなく、抜き孔７を介してパッド本体１の上面外側へ導き出せる利点を有する。
【００１３】
請求項２記載の本考案によれば、肌当たりを良くするために、パッド本体１を柔軟性に富む薄板状にしても、補強突条１１が連続状に形成されているので、使用時にパッド本体１の周縁部が折り重なるといったことがなく、パッド本体１の保形性が維持されて使い勝手が良い。
【００１４】
請求項３記載の本考案に係るブラシ領域３は、パッド本体１の中央側が毛足の長い第１ブラシ部３ａになっており、パッド本体１の端側が毛足の短い第２ブラシ部３ｂになっているので、ブラシ領域３の全体が顔の凹凸に沿いやすい。とくに、第２ブラシ部３ｂを鼻の回りなどに柔らかくフィットさせることができる。
【考案を実施するための最良の形態】
【００１５】
図面は本考案に係る洗顔用パッドの実施例を示しており、弾性を有するシリコン樹脂製のパッド本体１が、扁平な薄板状に形成されており、パッド本体１の全体の平面形状は、基本的に上下縦長の楕円形状を呈している。より詳しくは、下半部が曲率半径の大きい円形で、上半部が曲率半径の小さい円形になっていて、全体が卵形であり、図３において上部の外周縁の上部右側に凹み１ａが形成されている。
【００１６】
図２において、パッド本体１の下面は、下端部分が小突起群領域２に、残りの大半部分がブラシ領域３にそれぞれ設定されている。小突起群領域２には、多数の円形の小突起５が密に一体突設されている。図２において、仮想線Ｐは小突起群領域２とブラシ領域３との境界線を示す。
【００１７】
ブラシ領域３には、小突起５よりも高く突出する多数のブリッスル６が密に植設されている。更に具体的にみると、ブラシ領域３は、毛足の長いブリッスル６からなる中央部位の第１ブラシ部３ａと、毛足の短いブリッスル６からなる上端側の第２ブラシ部３ｂとからなる。図２において、仮想線Ｑは第１ブラシ部３ａの設置領域と第２ブラシ部３ｂの設置領域との境界線を示す。その結果、パッド本体１の下面において、下端側に小突起群領域２が、上端側に第２ブラシ部３ｂがそれぞれ設けられている。
【００１８】
図１および図５において、パッド本体１の小突起群領域２には、小突起５間に多数の抜き孔７が上下方向に貫通状に形成されている。
【００１９】
パッド本体１の上面９のほぼ中央部位には、指持ち突起１０が一体に突設されている。この指持ち突起１０は、パッド本体１の上面９に一体に突設された軸部１０ａと、この軸部１０ａの上端に設けられて、ラッパ状に開く吸盤部１０ｂとを有する。軸部１０ａは左右側面が平行な垂直面に形成されて、上下方向に長い角軸状に形成されている。
【００２０】
なお、パッド本体１の上面９には、外周縁に環状の補強突条１１が連続状に形成されていて、これにて柔軟なパッド本体１を扁平形状に保形している。
【００２１】
本考案の洗顔用パッドの使用に際しては、パッド本体１の上面９に使用者の指先を当て、人差指と中指とで指持ち突起１０の軸部１０ａの左右側面をはさむと、オイルクレンジングを用いるときでも吸盤部１０ｂで２本の指の間からパッド本体１を滑り落とすことなく持つことができる。
【００２２】
パッド本体１を手にし、クレンジング剤を用いてパッド本体１の下面側を顔に当ててマッサージすると、クレンジング剤で浮いたメイクや毛穴の汚れが落ちる。ブラシ領域３のブリッスル６群は、顔の凹凸に沿って肌に柔らかくフィットする。小突起群領域２は、ここでの小突起５を小鼻や額などに強く押し付けて皮脂質を取るのに向いている。
【００２３】
パッド本体１の下面側を顔に小円を描くように当ててマッサージして行くと、先の汚れなどは抜き孔７に誘い込んでパッド本体１の上面９側に出て来る。したがって、皮脂質をパッド本体１で肌に再び塗り付けることが少なくなり、そのような違和感を解消できる。
【００２４】
使用後は、パッド全体を水洗いすればよい。そして、次の使用に備えて、パッド本体１は指持ち突起１０の吸盤部１０ｂで鏡の面などに吸着しておくことができる。
【００２５】
図示例に代えて、前記凹み１ａを省略し、パッド本体１の平面形状を卵形にしてもよいし、上下方向に長い長円形状にしてもよい。抜き孔７は、ブラシ領域３を含めて全体に分布するよう形成されていてもよい。
【図面の簡単な説明】
【００２６】
【図１】図２のＡ−Ａ線断面図
【図２】底面図
【図３】平面図
【図４】図３のＢ−Ｂ線断面図
【図５】斜視図
【符号の説明】
【００２７】
１  パッド本体
２  小突起群領域
３  ブラシ領域
３ａ  第１ブラシ部
３ｂ  第２ブラシ部
５  小突起
６  ブリッスル
７  抜き孔
９  上面
１０  指持ち突起
１１  補強突条
【図１】
0003103309.tif 000003
【図２】
0003103309.tif 000004
【図３】
0003103309.tif 000005
【図４】
0003103309.tif 000006
【図５】
0003103309.tif 000007